(57)【要約】【課題】本発明は、回転円筒の外周面に固定した円錐形状のガイド板を中間支持板上に重合させることにより、光ファイバーケーブルを接続した回転円筒を円滑に回転させることを目的とする。【解決手段】本発明による光ファイバー巻取り構造は、回転円筒(1)がその外周面(1a)に設けた円錐形状のガイド板(10)を有し、ガイド板(10)の外周縁(10b)は中間支持板(3)の内周縁(3d)に重合し、中間支持板(3)とガイド板(10)との間には軸方向からみて隙間(4)がない構成である。【選択図】図１
2010019997.tif 000002
【特許請求の範囲】
【請求項１】
本体(2)に回転自在に設けられた回転円筒(1)と、前記本体(2)に支持され前記回転円筒(1)の外周位置に配設された中間支持板(3)と、前記中間支持板(3)を介して前記回転円筒(1)の外周面(1a)に接続される光ファイバーケーブル(5)と、よりなる光ファイバー巻取り構造において、
前記回転円筒(1)の外周面(1a)に取付けられた円錐形状のガイド板(10)を有し、前記ガイド板(10)は前記中間支持板(3)の一面(3c)上に重合し、前記中間支持板(3)に位置する前記光ファイバーケーブル(5)は前記ガイド板(10)のテーパ面(10a)上を経た後に前記回転円筒(1)の前記外周面(1a)に接続されていることを特徴とする光ファイバー巻取り構造。
【請求項２】
前記光ファイバーケーブル(5)は、前記ガイド板(10)上を少なくとも半周回し、前記回転円筒(1)の回転状態によって前記ガイド板(10)上における前記光ファイバーケーブル(5)の周回状態が変わることを特徴とする請求項１記載の光ファイバー巻取り構造。
【請求項３】
前記ガイド板(10)と半円状の中間支持板(3)との間は、前記回転円筒(1)の軸方向からみて隙間(4)が形成されていないことを特徴とする請求項１又は２記載の光ファイバー巻取り構造。
【発明の詳細な説明】
【技術分野】
【０００１】
本発明は、光ファイバー巻取り構造に関し、特に、回転円筒の外周面に固定した円錐形状のガイド板を中間支持板上に重合させることにより、光ファイバーケーブルを接続した回転円筒を円滑に回転させるための新規な改良に関する。
【背景技術】
【０００２】
従来、用いられていたこの種の光ファイバー巻取り構造としては、特許出願等を特に行っていないため、特許文献名を挙げていないが、本出願人が社内製作していた構成を図２に挙げることができる。
すなわち、図２において符号１で示されるものは、図示しない本体２に回転自在に設けられた回転円筒であり、この回転円筒１の外周位置には半円状の中間支持板３が設けられている。
【０００３】
前記回転円筒１の外周面１ａと前記中間支持板３の内周面３ａとの間には、隙間４が形成されている。
前記本体２側に設けられている光ファイバーケーブル５は、中間支持板３の半径方向に沿って形成された端面３ｂから一面３ｃ上を半周回し、曲折した後に前記外周面１ａに接着剤等で接続されている。
【０００４】
前述の構成において、前記回転円筒１が回転すると、光ファイバーケーブル５はこの回転円筒１の回転に伴って外周面１ａに巻き付くことにより、回転円筒１は所定角度範囲において自在に回転することができる。
【発明の開示】
【発明が解決しようとする課題】
【０００５】
従来の光ファイバー巻取り構造は、以上のように構成されているため、次のような課題が存在していた。
すなわち、中間支持板の内周面と回転円筒の外周面との間に隙間が形成されているため、中間支持板３上の光ファイバーケーブル５がこの隙間に落ち込み、光ファイバーケーブルが折れてしまうことがあり、光ファイバーケーブルの機能停止となることがあった。
【課題を解決するための手段】
【０００６】
本発明による光ファイバー巻取り構造は、本体に回転自在に設けられた回転円筒と、前記本体に支持され前記回転円筒の外周位置に配設された中間支持板と、前記中間支持板を介して前記回転円筒の外周面に接続される光ファイバーケーブルと、よりなる光ファイバー巻取り構造において、前記回転円筒の外周面に取付けられた円錐形状のガイド板を有し、前記ガイド板は前記中間支持板の一面上に重合し、前記中間支持板に位置する前記光ファイバーケーブルは前記ガイド板のテーパ面上を経た後に前記回転円筒の前記外周面に接続されている構成であり、また、前記光ファイバーケーブルは、前記ガイド板上を少なくとも半周回し、前記回転円筒の回転状態によって前記ガイド板上における前記光ファイバーケーブルの周回状態が変わる構成であり、また、前記ガイド板と半円状の中間支持板との間は、前記回転円筒の軸方向からみて隙間が形成されていない構成である。
【発明の効果】
【０００７】
本発明による光ファイバー巻取り構造は、以上のように構成されているため、次のような効果を得ることができる。
すなわち、本体に回転自在に設けられた回転円筒と、前記本体に支持され前記回転円筒の外周位置に配設された中間支持板と、前記中間支持板を介して前記回転円筒の外周面に接続される光ファイバーケーブルと、よりなる光ファイバー巻取り構造において、前記回転円筒の外周面に取付けられた円錐形状のガイド板を有し、前記ガイド板は前記中間支持板の一面上に重合し、前記中間支持板に位置する前記光ファイバーケーブルは前記ガイド板のテーパ面上を経た後に前記回転円筒の前記外周面に接続されていることにより、従来の隙間がなくなり、光ファイバーケーブルの折れ等をなくし、円滑な巻取りができる。
また、前記光ファイバーケーブルは、前記ガイド板上を少なくとも半周回し、前記回転円筒の回転状態によって前記ガイド板上における前記光ファイバーケーブルの周回状態が変わることにより円滑な周回ができる。
前記ガイド板と半円状の中間支持板との間は、前記回転円筒の軸方向からみて隙間が形成されていないことにより、光ファイバーケーブルの巻き付きを円滑にできる。
【発明を実施するための最良の形態】
【０００８】
本発明は、回転円筒の外周面に固定した円錐状のガイド板を中間支持板上に重合させることにより、光ファイバーケーブルを接続した回転円筒を円滑に回転させるようにした光ファイバー巻取り構造を提供することを目的とする。
【実施例】
【０００９】
以下、図面と共に本発明による光ファイバー巻取り構造の好適な実施の形態について説明する。
尚、従来例と同一又は同等部分には、同一符号を付して説明する。
図１において符号１で示されるものは、図示しない本体２に回転自在に設けられた回転円筒であり、この回転円筒１の外周位置には半円状の中間支持板３が設けられている。
【００１０】
前記回転円筒１の外周面１ａと前記中間支持板３の内周面３ａとの間には、図１には図示していないが、隙間４が図２と同様に形成されている。
前記回転円筒１の外周面１ａには、全体形状が円錐形状の上部をカットした形状の円板状のガイド板１０が取付けられ、このガイド板１０は中間支持板３の一面３ｃ上に摺接自在に重合し、前記ガイド板１０は前述の隙間４を埋める状態でこの一面３ｃに覆いかぶさっている。
【００１１】
前述の構成において、前記光ファイバーケーブル５は、中間支持板３の端面３ｂとガイド板１０のテーパ面１０ａとの間の位置から前記テーパ面１０ａ上を半周回して前記回転円筒１の外周面１ａに接着剤等で接続されている。
【００１２】
従って、前記ガイド板１０の外周縁１０ｂは、前記中間支持板３の一面３ｃ上の内周縁３ｄに重合して摺接できるように構成されているため、前記ガイド板１０の外周縁１０ｂと中間支持板３の内周面３ａとの間には回転円筒１の軸方向からみて隙間４がなく、図１の構成で、回転円筒１の軸方向からみて前記隙間４がない状態に構成されている。
【００１３】
また、前述の構成において、前記回転円筒１を回転させると、光ファイバーケーブル５は、前記回転円筒１の回転状態によってガイド板１０上の光ファイバーケーブル５の周回状態が変わり、必要であれば、数回転してガイド板１０上に光ファイバーケーブル５を巻回保持することができる。
【図面の簡単な説明】
【００１４】
【図１】本発明による光ファイバー巻取り構造を示す斜視図である。
【図２】従来構成を示す斜視図である。
【符号の説明】
【００１５】
１    回転円筒
１ａ    外周面
２    本体
３    中間支持板
３ｂ    端面
３ｃ    一面
５    光ファイバーケーブル
１０    円錐形状のガイド板
【図１】
2010019997.tif 000003
【図２】
2010019997.tif 000004